(57)【要約】【課題】利用者が携帯電子機器を利用する際に、どのような体勢であっても、当該携帯電子機器の持ちかえや向きの変更を行わずに利用する。【解決手段】ヒンジ２０１によって連結され、タッチパネル機能を有する表示部２０３−１，２０３−２がそれぞれ具備された、筐体２００−１，２００−２のうち少なくとも一方に設けられた開閉検出部２０４が携帯電子機器１００が開いた状態であると検出している状態で、筐体２００−１，２００−２それぞれに設けられた温度センサ２０２−１，２０２−２のうちの当該筐体の周囲が所定の温度であることを感知した温度センサを有する筐体に具備された表示部に所定の操作用画面を表示させ、それ以外の筐体に具備された表示部のタッチパネル機能を無効にする。【選択図】図１
2010193355.tif 000002
【特許請求の範囲】
【請求項１】
２つの筐体がヒンジによって連結され、前記ヒンジを軸として開閉自在の折りたたみ式の携帯電子機器であって、
前記２つの筐体はそれぞれ、
当該筐体の周囲の温度を感知する温度センサと、
タッチパネル機能を具備し、情報を表示する表示部とを有し、
前記２つの筐体の少なくとも一方は、
当該携帯電子機器が開いた状態を検出する開閉検出部と、
当該携帯電子機器が開いた状態であると前記開閉検出部が検出している状態で、前記温度センサが所定の温度を感知した場合、前記所定の温度を感知した温度センサを有する筐体に具備された前記表示部に前記情報の代わりに所定の操作用画面を表示させ、前記所定の温度を感知した温度センサを有する筐体以外の筐体に具備された前記表示部のタッチパネル機能を無効にする制御部とを有する携帯電子機器。
【請求項２】
請求項１に記載の携帯電子機器において、
前記２つの筐体はそれぞれ、
撮影機能を具備するカメラを有し、
前記制御部は、当該携帯電子機器が開いた状態であると前記開閉検出部が検出している状態で、前記カメラが撮影した画像が所定の向きに撮影されている場合、前記所定の向きの画像を撮影したカメラを有する筐体に具備された前記表示部のタッチパネル機能を無効にし、前記所定の向きの画像を撮影したカメラを有する筐体以外の筐体に具備された前記表示部に前記情報の代わりに所定の操作用画面を表示させることを特徴とする携帯電子機器。
【請求項３】
請求項１に記載の携帯電子機器において、
前記２つの筐体はそれぞれ、
外部からの音声を入力するマイクと、
外部へ音声を出力するスピーカとを有し、
前記制御部は、当該携帯電子機器が開いた状態であると前記開閉検出部が検出している状態で、前記温度センサが所定の温度を感知した場合、前記所定の温度を感知した温度センサを有する筐体に具備された前記スピーカの機能を無効にし、前記所定の温度を感知した温度センサを有する筐体以外の筐体に具備された前記マイクの機能を無効にすることを特徴とする携帯電子機器。
【請求項４】
請求項３に記載の携帯電子機器において、
前記マイクと、該マイクを有する筐体に具備された前記スピーカとが、一体化構造となっていることを特徴とする携帯電子機器。
【請求項５】
請求項３または請求項４に記載の携帯電子機器において、
通信機能を有することを特徴とする携帯電子機器。
【発明の詳細な説明】
【技術分野】
【０００１】
本発明は、携帯可能な折りたたみ式の携帯電子機器に関する。
【背景技術】
【０００２】
近年、通信機能を有する携帯端末の普及が進み、通信手段として必需品となってきている。その携帯端末のデザインも様々なタイプが市場に出てきている。そのデザインの中で、２つの筐体がヒンジ機構によって連結され、ヒンジ機構を軸として開閉自在の折りたたみ式のデザインのもの（以下、折りたたみ式携帯端末と称する）が多い。
【０００３】
このような折りたたみ式携帯端末の構造は、２つの筐体のうち一方の筐体（以下、表示筐体と称する）には、画像や情報を表示するディスプレイや通話の音声を出力するスピーカ等が具備され、他方の筐体（以下、操作筐体と称する）には、情報を入力するための操作ボタンや通話の音声を入力するマイク等が具備されたものとなっている。
【０００４】
折りたたみ式携帯端末は、非常にコンパクトであるがゆえ、収納場所も多岐にわたり、ポケットや鞄、ネックストラップなど向きを固定できない状態で所持することが多い。また、端末の製造メーカにより異なるが、表示筐体の厚みと操作筐体の厚みとがほぼ同じであるものが多い。そのため、いざ使用する際に、どちらの筐体が表示筐体なのか操作筐体なのかを直ぐに確認できず、目視で確認してから持ち直したり、折りたたみ式携帯端末を開いてから上下の向きを変えて持ち直したりする手間が生じてしまう。
【０００５】
そこで、２つの筐体それぞれに、画像や情報または操作ボタンを表示するタッチパネル機能を有する表示手段、マイクおよびスピーカを設け、さらに折りたたみ式携帯端末の傾きを検出する検出機構を当該折りたたみ式携帯端末に具備させ、当該検出機構が検出した傾きに応じて、２つの筐体それぞれを表示筐体または操作筐体として動作させる技術が考えられている（例えば、特許文献１，２参照。）。
【先行技術文献】
【特許文献】
【０００６】
【特許文献１】特開２００６−２７９７６９号公報
【特許文献２】特開２００６−３１１２２４号公報
【発明の概要】
【発明が解決しようとする課題】
【０００７】
しかしながら、特許文献１，２に記載された技術においては、折りたたみ式携帯端末を操作する利用者に対する当該折りたたみ式携帯端末の相対的な傾きを検出しているものではないため、利用者が利用する体勢によっては、所望の向きとは逆の向き（表示筐体と操作筐体とが反対）で動作してしまうおそれがある。なお、この課題は、通信機能を有する携帯端末だけではなく、情報を表示する機能を有する携帯可能な折りたたみ式の電子機器全般に言えることである。
【０００８】
本発明の目的は、上述した課題を解決する携帯電子機器を提供することである。
【課題を解決するための手段】
【０００９】
本発明の携帯電子機器は、
２つの筐体がヒンジによって連結され、前記ヒンジを軸として開閉自在の折りたたみ式の携帯電子機器であって、
前記２つの筐体はそれぞれ、
当該筐体の周囲の温度を感知する温度センサと、
タッチパネル機能を具備し、情報を表示する表示部とを有し、
前記２つの筐体の少なくとも一方は、
当該携帯電子機器が開いた状態を検出する開閉検出部と、
当該携帯電子機器が開いた状態であると前記開閉検出部が検出している状態で、前記温度センサが所定の温度を感知した場合、前記所定の温度を感知した温度センサを有する筐体に具備された前記表示部に前記情報の代わりに所定の操作用画面を表示させ、前記所定の温度を感知した温度センサを有する筐体以外の筐体に具備された前記表示部のタッチパネル機能を無効にする制御部とを有する。
【発明の効果】
【００１０】
以上説明したように本発明においては、ヒンジによって連結され、タッチパネル機能を有する表示部がそれぞれ具備された、２つの筐体のうち少なくとも一方に設けられた開閉検出部が携帯電子機器が開いた状態であると検出している状態で、２つの筐体それぞれに設けられた温度センサのうちの当該筐体の周囲が所定の温度であることを感知した温度センサを有する筐体に具備された表示部に所定の操作用画面を表示させ、それ以外の筐体に具備された表示部のタッチパネル機能を無効にする構成としたため、利用者が携帯電子機器を利用する際に、どのような体勢であっても、当該携帯電子機器の持ちかえや向きの変更を行わずに利用することができる。
【図面の簡単な説明】
【００１１】
【図１】本発明の携帯電子機器の第１の実施の形態を示す図である。
【図２】図１に示した携帯電子機器の外観の一例を示す図である。
【図３】第１の実施の形態における処理を説明するためのフローチャートである。
【図４】ステップＳ４における携帯電子機器の外観の一例を示す図である。
【図５】ステップＳ６における携帯電子機器の外観の一例を示す図である。
【図６】本発明の携帯電子機器の第２の実施の形態を示す図である。
【図７】図６に示した携帯電子機器の外観の一例を示す図である。
【図８】第２の実施の形態における処理を説明するためのフローチャートである。
【図９】ステップＳ１６における携帯電子機器の外観の一例を示す図である。
【図１０】ステップＳ１９における携帯電子機器の外観の一例を示す図である。
【図１１】本発明の携帯電子機器の第３の実施の形態を示す図である。
【図１２】図１１に示した携帯電子機器の外観の一例を示す図である。
【図１３】第３の実施の形態における処理を説明するためのフローチャートである。
【図１４】ステップＳ２６における携帯電子機器の外観の一例を示す図である。
【図１５】ステップＳ３０における携帯電子機器の外観の一例を示す図である。
【発明を実施するための形態】
【００１２】
以下に、本発明の実施の形態について説明する。
（第１の実施の形態）
図１は、本発明の携帯電子機器の第１の実施の形態を示す図である。
【００１３】
本形態は図１に示すように、筐体２００−１と、筐体２００−２と、ヒンジ２０１とから構成されている。
【００１４】
筐体２００−１には、温度センサ２０２−１と、表示部２０３−１と、開閉検出部２０４と、制御部２０５とが設けられている。なお、図１には、携帯電子機器１００が有する構成要素のうち、本発明に関わる構成要素のみを示した。
【００１５】
温度センサ２０２−１は、筐体２００−１の周囲の温度を感知する。また、温度センサ２０２−１は、あらかじめ設定された温度を感知した場合、その旨を制御部２０５へ通知する。ここで、あらかじめ設定された温度とは、筐体２００−１を利用者が保持したときの温度である。
【００１６】
表示部２０３−１は、タッチパネル機能を有し、所定の情報を表示する。例えば、一般的なディスプレイである。また、表示部２０３−１は、制御部２０５からの指示により、タッチパネル機能を無効にする。また、表示部２０３−１は、制御部２０５からの指示により、操作用画面を表示する。この操作用画面とは、例えば、パソコンのキーボードや携帯端末の操作ボタンのように、外部から情報を入力するためのキーやボタンを表示した画面である。表示部２０３−１は、操作用画面を表示している場合、タッチパネル機能を用いて外部から入力された情報を制御部２０５へ出力する。
【００１７】
開閉検出部２０４は、携帯電子機器１００が開いた状態（開閉状態については後述する）を検出する。この検出方法は、機械的に検出するものであっても良いし、電気的に検出するものであっても良く、ここでは特に規定しない。また、開閉検出部２０４は、携帯電子機器１００が開いた状態を検出した場合、その旨を制御部２０５へ通知する。
【００１８】
制御部２０５については、後述する。
【００１９】
また、筐体２００−２には、温度センサ２０２−２と、表示部２０３−２とが設けられている。
【００２０】
温度センサ２０２−２は、筐体２００−２の周囲の温度を感知する。また、温度センサ２０２−２は、あらかじめ設定された温度を感知した場合、その旨を制御部２０５へ通知する。ここで、あらかじめ設定された温度とは、筐体２００−２を利用者が保持したときの温度である。
【００２１】
表示部２０３−２は、タッチパネル機能を有し、所定の情報を表示する。例えば、一般的なディスプレイである。また、表示部２０３−２は、制御部２０５からの指示により、タッチパネル機能を無効にする。また、表示部２０３−２は、制御部２０５からの指示により、操作用画面を表示する。表示部２０３−２は、操作用画面を表示している場合、タッチパネル機能を用いて外部から入力された情報を制御部２０５へ出力する。
【００２２】
制御部２０５は、開閉検出部２０４から携帯電子機器１００が開いた状態を検出した旨が通知された状態で、温度センサ２０２−２からあらかじめ設定された温度を感知した旨が通知されてきた場合、表示部２０３−１へタッチパネル機能を無効にする指示を行い、表示部２０３−２へ操作用画面を表示する指示を行う。また、制御部２０５は、開閉検出部２０４から携帯電子機器１００が開いた状態を検出した旨が通知された状態で、温度センサ２０２−１からあらかじめ設定された温度を感知した旨が通知されてきた場合、表示部２０３−２へタッチパネル機能を無効にする指示を行い、表示部２０３−１へ操作用画面を表示する指示を行う。
【００２３】
なお、開閉検出部２０４および制御部２０５は、筐体２００−１ではなく筐体２００−２に設けられているものであっても良い。また、開閉検出部２０４が筐体２００−１に設けられ、制御部２０５が筐体２００−２に設けられているものであっても良い。また、開閉検出部２０４が筐体２００−２に設けられ、制御部２０５が筐体２００−１に設けられているものであっても良い。
【００２４】
図２は、図１に示した携帯電子機器１００の外観の一例を示す図である。
【００２５】
図１に示した携帯電子機器１００は図２に示すように、筐体２００−１と筐体２００−２とがヒンジ（蝶番）２０１によって連結されて携帯電子機器１００を構成している。また、筐体２００−１には表示部２０３−１が設けられ、筐体２００−２には表示部２０３−２が設けられている。また、携帯電子機器１００は、筐体２００−１と筐体２００−２とがヒンジ２０１を軸として、開閉自在（可能）となっている折りたたみ式の携帯電子機器である。図１は、携帯電子機器１００が開いた状態を示している。なお、携帯電子機器１００が閉じた状態とは、表示部２０３−１の表面と表示部２０３−２の表面とが接するように、筐体２００−１と筐体２００−２とが重なった状態である。また、携帯電子機器１００の大きさは、携帯可能な大きさである。
【００２６】
以下に、第１の実施の形態における処理について説明する。
【００２７】
図３は、第１の実施の形態における処理を説明するためのフローチャートである。
【００２８】
まず、開閉検出部２０４にて、携帯電子機器１００が開いた状態であるかどうかが検出される（ステップＳ１）。ここで、携帯電子機器１００が閉じた状態から、筐体２００−１または筐体２００−２がヒンジ２０１を軸として回転させられ、筐体２００−１と筐体２００−２との間の角度があらかじめ設定された角度になったときに携帯電子機器１００が開いた状態であると判断される（開いた状態が検出される）。
【００２９】
携帯電子機器１００が開いた状態であると検出された場合、その旨が開閉検出部２０４から制御部２０５へ通知される。
【００３０】
携帯電子機器１００が開いた状態を検出した旨が通知されると、温度センサ２０２−１，２０２−２にて所定の温度が感知されたかどうかが制御部２０５にて判断される（ステップＳ２）。これは、温度センサ２０２−１，２０２−２から、所定の温度を感知した旨が通知されてきたかどうかによるものである。
【００３１】
温度センサ２０２−２から所定の温度を感知した旨が通知されてきた場合、制御部２０５によって、表示部２０３−２へ操作用画面の表示が指示される。そして、表示部２０３−２に操作用画面が表示される（ステップＳ３）。
【００３２】
また、制御部２０５によって、表示部２０３−１のタッチパネル機能が無効にされる（ステップＳ４）。
【００３３】
一方、温度センサ２０２−１から所定の温度を感知した旨が通知されてきた場合、制御部２０５によって、表示部２０３−１へ操作用画面の表示が指示される。そして、表示部２０３−１に操作用画面が表示される（ステップＳ５）。
【００３４】
また、制御部２０５によって、表示部２０３−２のタッチパネル機能が無効にされる（ステップＳ６）。
【００３５】
図４は、ステップＳ４における携帯電子機器１００の外観の一例を示す図である。
【００３６】
ステップＳ４における携帯電子機器１００は図４に示すように、表示部２０３−１には所定の情報（一般的にディスプレイ等に表示される情報）が表示され、表示部２０３−２には操作用画面が表示される。このとき、表示部２０３−１のタッチパネル機能は無効となっている。
【００３７】
図５は、ステップＳ６における携帯電子機器１００の外観の一例を示す図である。
【００３８】
ステップＳ６における携帯電子機器１００は図５に示すように、表示部２０３−２には所定の情報（一般的にディスプレイ等に表示される情報）が表示され、表示部２０３−１には操作用画面が表示される。このとき、表示部２０３−２のタッチパネル機能は無効となっている。
（第２の実施の形態）
第１の実施の形態に加え、携帯電子機器１００に画像の撮影機能を有するカメラが設けられているものであっても良い。
【００３９】
図６は、本発明の携帯電子機器の第２の実施の形態を示す図である。
【００４０】
本形態は図６に示すように、図１に示した第１の実施の形態の筐体２００−１，２００−２にカメラ２０６−１，２０６−２がそれぞれ設けられている。なお、図６には、携帯電子機器１００が有する構成要素のうち、本発明に関わる構成要素のみを示した。
【００４１】
温度センサ２０２−１，２０２−２、表示部２０３−１，２０３−２および開閉検出部２０４は、第１の実施の形態におけるものと同じである。
【００４２】
カメラ２０６−１，２０６−２は、一般的な携帯端末に搭載されているような画像の撮影機能を有する小型カメラである。また、カメラ２０６−１，２０６−２は、制御部２０５から撮影を指示された場合、撮影を行い、撮影した画像を制御部２０５へ出力する。
【００４３】
制御部２０５は、開閉検出部２０４から携帯電子機器１００が開いた状態を検出した旨が通知された際、カメラ２０６−１，２０６−２へ撮影の指示を行う。また、制御部２０５は、カメラ２０６−１，２０６−２から出力されてきた画像が、あらかじめ設定された向きであるかどうかを判断する。これは、一般的に用いられている顔認識機能等を用いて、制御部２０５が、携帯電子機器１００を持っている利用者の顔を当該画像から認識し、それがあらかじめ設定された向き（例えば、画像の上側が頭で下側が顎）であるかどうかを判断するものである。制御部２０５は、カメラ２０６−１から出力されてきた画像が、あらかじめ設定された向きであると判断した場合、表示部２０３−１へタッチパネル機能を無効にする指示を行い、表示部２０３−２へ操作用画面を表示する指示を行う。また、制御部２０５は、カメラ２０６−２から出力されてきた画像が、あらかじめ設定された向きであると判断した場合、表示部２０３−２へタッチパネル機能を無効にする指示を行い、表示部２０３−１へ操作用画面を表示する指示を行う。また、制御部２０５は、その他、第１の実施の形態における機能と同じ機能を有する。
【００４４】
なお、第１の実施の形態と同様に、開閉検出部２０４および制御部２０５は、筐体２００−１ではなく筐体２００−２に設けられているものであっても良い。また、開閉検出部２０４が筐体２００−１に設けられ、制御部２０５が筐体２００−２に設けられているものであっても良い。また、開閉検出部２０４が筐体２００−２に設けられ、制御部２０５が筐体２００−１に設けられているものであっても良い。
【００４５】
図７は、図６に示した携帯電子機器１００の外観の一例を示す図である。
【００４６】
図６に示した携帯電子機器１００は図７に示すように、筐体２００−１と筐体２００−２とがヒンジ２０１によって連結されて携帯電子機器１００を構成している。また、筐体２００−１には表示部２０３−１が設けられ、筐体２００−２には表示部２０３−２が設けられている。また、筐体２００−１にはカメラ２０６−１が設けられ、筐体２００−２にはカメラ２０６−２が設けられている。また、携帯電子機器１００は、第１の実施の形態と同様に、筐体２００−１と筐体２００−２とがヒンジ２０１を軸として、開閉自在（可能）となっている折りたたみ式の携帯電子機器である。図６は、携帯電子機器１００が開いた状態を示している。なお、携帯電子機器１００が閉じた状態とは、第１の実施の形態と同様に、表示部２０３−１の表面と表示部２０３−２の表面とが接するように、筐体２００−１と筐体２００−２とが重なった状態である。また、携帯電子機器１００の大きさは、携帯可能な大きさである。
【００４７】
以下に、第２の実施の形態における処理について説明する。
【００４８】
図８は、第２の実施の形態における処理を説明するためのフローチャートである。
【００４９】
まず、開閉検出部２０４にて、携帯電子機器１００が開いた状態であるかどうかが検出される（ステップＳ１１）。この検出方法については、第１の実施の形態におけるものと同じである。
【００５０】
携帯電子機器１００が開いた状態であると検出された場合、その旨が開閉検出部２０４から制御部２０５へ通知される。
【００５１】
携帯電子機器１００が開いた状態を検出した旨が通知されると、制御部２０５からカメラ２０６−１，２０６−２へ撮影の指示が行われ、カメラ２０６−１，２０６−２によって撮影が行われる（ステップＳ１２）。そして、カメラ２０６−１，２０６−２によって撮影された画像がそれぞれ、カメラ２０６−１，２０６−２から制御部２０５へ出力される。
【００５２】
また、温度センサ２０２−１，２０２−２にて所定の温度が感知されたかどうかが制御部２０５にて判断される（ステップＳ１３）。これは、温度センサ２０２−１，２０２−２から、所定の温度を感知した旨が通知されてきたかどうかによるものである。
【００５３】
温度センサ２０２−２から所定の温度を感知した旨が通知されてきた場合、カメラ２０６−１から出力されてきた画像があらかじめ設定された向きであるかどうかが制御部２０５によって判断される（ステップＳ１４）。
【００５４】
ステップＳ１４にて、カメラ２０６−１から出力されてきた画像があらかじめ設定された向きであると判断された場合、制御部２０５によって、表示部２０３−２へ操作用画面の表示が指示される。そして、表示部２０３−２に操作用画面が表示される（ステップＳ１５）。
【００５５】
また、制御部２０５によって、表示部２０３−１のタッチパネル機能が無効にされる（ステップＳ１６）。
【００５６】
一方、温度センサ２０２−１から所定の温度を感知した旨が通知されてきた場合、カメラ２０６−２から出力されてきた画像があらかじめ設定された向きであるかどうかが制御部２０５によって判断される（ステップＳ１７）。
【００５７】
カメラ２０６−２から出力されてきた画像があらかじめ設定された向きではないと判断された場合、ステップＳ１５の処理が行われる。
【００５８】
また、ステップＳ１７にて、カメラ２０６−２から出力されてきた画像があらかじめ設定された向きであると判断された場合、制御部２０５によって、表示部２０３−１へ操作用画面の表示が指示される。そして、表示部２０３−１に操作用画面が表示される（ステップＳ１８）。
【００５９】
また、制御部２０５によって、表示部２０３−２のタッチパネル機能が無効にされる（ステップＳ１９）。
【００６０】
また、ステップＳ１４にて、カメラ２０６−１から出力されてきた画像があらかじめ設定された向きではないと判断された場合は、ステップＳ１８の処理が行われる。
【００６１】
図９は、ステップＳ１６における携帯電子機器１００の外観の一例を示す図である。
【００６２】
ステップＳ１６における携帯電子機器１００は図９に示すように、表示部２０３−１には所定の情報（一般的にディスプレイ等に表示される情報）が表示され、表示部２０３−２には操作用画面が表示される。このとき、表示部２０３−１のタッチパネル機能は無効となっている。
【００６３】
図１０は、ステップＳ１９における携帯電子機器１００の外観の一例を示す図である。
【００６４】
ステップＳ１９における携帯電子機器１００は図１０に示すように、表示部２０３−２には所定の情報（一般的にディスプレイ等に表示される情報）が表示され、表示部２０３−１には操作用画面が表示される。このとき、表示部２０３−２のタッチパネル機能は無効となっている。
【００６５】
第２の実施の形態では、第１の実施の形態に比べ、表示部２０３−１と表示部２０３−２とのどちらに通常の情報を表示させ、どちらに操作用画面を表示させるかを判断するのに、温度センサ２０２−１，２０２−２による感知結果に加えてカメラ２０６−１，２０６−２によって撮影された画像を用いる。そのため、温度センサ２０２−１，２０２−２の感知結果による判断が誤った場合であっても、カメラ２０６−１，２０６−２によって撮影された画像の判断がその選択の補正機能として役に立つ。
【００６６】
なお、温度センサ２０２−１，２０２−２を搭載せず、カメラ２０６−１，２０６−２のみが搭載された携帯電子機器１００であっても良い。この場合、表示部２０３−１と表示部２０３−２とのどちらに通常の情報を表示させ、どちらに操作用画面を表示させるかを判断するには、カメラ２０６−１，２０６−２によって撮影された画像のみを用いる。
（第３の実施の形態）
第１の実施の形態に加え、携帯電子機器１００に外部からの音声を入力するマイクと外部へ音声を出力するスピーカとが設けられているものであっても良い。ここでは、携帯電子機器１００が、通話（通信）機能を有する携帯端末（携帯電話）である場合を例に挙げて説明する。
【００６７】
図１１は、本発明の携帯電子機器の第３の実施の形態を示す図である。
【００６８】
本形態は図１１に示すように、図１に示した第１の実施の形態の筐体２００−１，２００−２にマイク２０７−１，２０７−２と、スピーカ２０８−１，２０８−２とがそれぞれ設けられている。なお、図１１には、携帯電子機器１００が有する構成要素のうち、本発明に関わる構成要素のみを示した。
【００６９】
温度センサ２０２−１，２０２−２、表示部２０３−１，２０３−２および開閉検出部２０４は、第１の実施の形態におけるものと同じである。
【００７０】
マイク２０７−１，２０７−２は、外部からの音声を入力するマイクである。また、マイク２０７−１，２０７−２は、入力した音声を電気信号等の信号へ変換し、制御部２０５へ出力する。マイク２０７−１，２０７−２は、例えば、一般的な携帯端末に搭載された、通話を行う際に通話を行っている利用者の声を入力するものである。
【００７１】
スピーカ２０８−１，２０８−２は、制御部２０５から出力されてきた電気信号等を音声へ変換して外部へ出力する。スピーカ２０８−１，２０８−２は、例えば、一般的な携帯端末に搭載された、通話を行う際に通話を行っている利用者へ音声を出力するものである。
【００７２】
制御部２０５は、開閉検出部２０４から携帯電子機器１００が開いた状態を検出した旨が通知された状態で、温度センサ２０２−２からあらかじめ設定された温度を感知した旨が通知されてきた場合、マイク２０７−１の機能を無効にし、スピーカ２０８−２の機能を無効にする。また、制御部２０５は、開閉検出部２０４から携帯電子機器１００が開いた状態を検出した旨が通知された状態で、温度センサ２０２−１からあらかじめ設定された温度を感知した旨が通知されてきた場合、マイク２０７−２の機能を無効にし、スピーカ２０８−１の機能を無効にする。また、制御部２０５は、その他、第１の実施の形態における機能と同じ機能を有する。
【００７３】
なお、第１および第２の実施の形態と同様に、開閉検出部２０４および制御部２０５は、筐体２００−１ではなく筐体２００−２に設けられているものであっても良い。また、開閉検出部２０４が筐体２００−１に設けられ、制御部２０５が筐体２００−２に設けられているものであっても良い。また、開閉検出部２０４が筐体２００−２に設けられ、制御部２０５が筐体２００−１に設けられているものであっても良い。
【００７４】
図１２は、図１１に示した携帯電子機器１００の外観の一例を示す図である。
【００７５】
図１１に示した携帯電子機器１００は図１２に示すように、筐体２００−１と筐体２００−２とがヒンジ２０１によって連結されて携帯電子機器１００を構成している。また、筐体２００−１には表示部２０３−１が設けられ、筐体２００−２には表示部２０３−２が設けられている。また、筐体２００−１にはマイク２０７−１およびスピーカ２０８−１が設けられている。また、筐体２００−２にはマイク２０７−２およびスピーカ２０８−２が設けられている。また、携帯電子機器１００は、第１および第２の実施の形態と同様に、筐体２００−１と筐体２００−２とがヒンジ２０１を軸として、開閉自在（可能）となっている折りたたみ式の携帯電子機器である。図１２は、携帯電子機器１００が開いた状態を示している。なお、携帯電子機器１００が閉じた状態とは、第１および第２の実施の形態と同様に、表示部２０３−１の表面と表示部２０３−２の表面とが接するように、筐体２００−１と筐体２００−２とが重なった状態である。なお、マイク２０７−１とスピーカ２０８−１とが、またマイク２０７−２とスピーカ２０８−２とが、一体化構造となっているものであっても良い。
【００７６】
以下に、第３の実施の形態における処理について説明する。
【００７７】
図１３は、第３の実施の形態における処理を説明するためのフローチャートである。
【００７８】
まず、開閉検出部２０４にて、携帯電子機器１００が開いた状態であるかどうかが検出される（ステップＳ２１）。この検出方法については、第１および第２の実施の形態におけるものと同じである。
【００７９】
携帯電子機器１００が開いた状態であると検出された場合、その旨が開閉検出部２０４から制御部２０５へ通知される。
【００８０】
携帯電子機器１００が開いた状態を検出した旨が通知されると、温度センサ２０２−１，２０２−２にて所定の温度が感知されたかどうかが制御部２０５にて判断される（ステップＳ２２）。これは、温度センサ２０２−１，２０２−２から、所定の温度を感知した旨が通知されてきたかどうかによるものである。
【００８１】
温度センサ２０２−２から所定の温度を感知した旨が通知されてきた場合、制御部２０５によって、表示部２０３−２へ操作用画面の表示が指示される。そして、表示部２０３−２に操作用画面が表示される（ステップＳ２３）。
【００８２】
また、制御部２０５によって、表示部２０３−１のタッチパネル機能が無効にされる（ステップＳ２４）。
【００８３】
また、制御部２０５によって、スピーカ２０８−２の機能が無効にされる（ステップＳ２５）。
【００８４】
さらに、制御部２０５によって、マイク２０７−１の機能が無効にされる（ステップＳ２６）。
【００８５】
一方、温度センサ２０２−１から所定の温度を感知した旨が通知されてきた場合、制御部２０５によって、表示部２０３−１へ操作用画面の表示が指示される。そして、表示部２０３−１に操作用画面が表示される（ステップＳ２７）。
【００８６】
また、制御部２０５によって、表示部２０３−２のタッチパネル機能が無効にされる（ステップＳ２８）。
【００８７】
また、制御部２０５によって、スピーカ２０８−１の機能が無効にされる（ステップＳ２９）。
【００８８】
さらに、制御部２０５によって、マイク２０７−２の機能が無効にされる（ステップＳ３０）。
【００８９】
図１４は、ステップＳ２６における携帯電子機器１００の外観の一例を示す図である。
【００９０】
ステップＳ２６における携帯電子機器１００は図１４に示すように、表示部２０３−１には所定の情報（一般的にディスプレイ等に表示される情報）が表示され、表示部２０３−２には操作用画面が表示される。このとき、表示部２０３−１のタッチパネル機能は無効となっている。また、スピーカ２０８−２の機能が無効となっている。また、マイク２０７−１の機能が無効となっている。
【００９１】
図１５は、ステップＳ３０における携帯電子機器１００の外観の一例を示す図である。
【００９２】
ステップＳ３０における携帯電子機器１００は図１５に示すように、表示部２０３−２には所定の情報（一般的にディスプレイ等に表示される情報）が表示され、表示部２０３−１には操作用画面が表示される。このとき、表示部２０３−２のタッチパネル機能は無効となっている。また、スピーカ２０８−１の機能が無効となっている。また、マイク２０７−２の機能が無効となっている。
【００９３】
上述したような形態をとることにより、利用者は携帯電子機器の向きを気にすることなく、当該携帯電子機器を開いた向きを正として利用することが可能となる。つまり、ポケットやホルダー、鞄の中や暗闇など、利用者が携帯電子機器の向きを判断しにくい場所にあっても、筐体の向きを確認する動作なく利用することができ、操作性が向上する。また、これは、利用者がどのような体勢（直立状態や寝転がっている状態等）であっても可能である。また、タッチパネルが２枚あることにより、１つの液晶のみを使用することが減るため、通常の使用時よりは故障が減り、長期間使用することが可能となる。
【符号の説明】
【００９４】
１００    携帯電子機器
２００−１，２００−２    筐体
２０１    ヒンジ
２０２−１，２０２−２    温度センサ
２０３−１，２０３−２    表示部
２０４    開閉検出部
２０５    制御部
２０６−１，２０６−２    カメラ
２０７−１，２０７−２    マイク
２０８−１，２０８−２    スピーカ
【図１】
2010193355.tif 000003
【図２】
2010193355.tif 000004
【図３】
2010193355.tif 000005
【図４】
2010193355.tif 000006
【図５】
2010193355.tif 000007
【図６】
2010193355.tif 000008
【図７】
2010193355.tif 000009
【図８】
2010193355.tif 000010
【図９】
2010193355.tif 000011
【図１０】
2010193355.tif 000012
【図１１】
2010193355.tif 000013
【図１２】
2010193355.tif 000014
【図１３】
2010193355.tif 000015
【図１４】
2010193355.tif 000016
【図１５】
2010193355.tif 000017